(57)【特許請求の範囲】
【請求項１】
ボルトおよびナットにより対の管継手部材を締着させて接続されようとする管を連結する管継手において、頭部に近接した位置に径外方に突出する部分を含む非円形部を有するボルトと、該ボルトの非円形部を収容し該ボルトの回り止めをする非円形部を有するボルト挿通孔を備えた管継手部材と、該ボルトに螺合されるナットとを有し、該ボルト挿通孔の非円形部の開口端周囲に螺旋状の傾斜面が設けられていることを特徴とする管継手。
【請求項２】
前記螺旋状の傾斜面の傾斜角が２０°〜６０°の範囲にある請求項１に記載の管継手。
【請求項３】
前記管継手部材のボルト挿通孔の非円形部の開口端周囲に螺旋状の傾斜面が、前記ボルトのネジの傾斜方向とは逆方向に傾斜している請求項１または２に記載の管継手。
【請求項４】
前記管継手部材のボルト挿通孔の開口端縁に段部をもって径を拡大した切欠き部が設けられている請求項１〜３のいずれかに記載の管継手。
【請求項５】
前記ボルトの非円形部の先端面に、ボルト挿通孔の非円形部の開口端周囲の螺旋状の傾斜面に略平行な傾斜面を設けた請求項１〜４のいずれかに記載の管継手。
【発明の詳細な説明】
【０００１】
【発明の属する技術分野】
本発明は、半割型の管継手部材の両側フランジをボルトとナットにより締着させて管を接続するタイプの管継手に関し、特に詳述すれば、ボルトの回り止めとして機能する断面非円形部を一部に有するボルトを管継手部材のフランジに穿けた断面非円形のボルト挿入孔に挿通させた状態でナットを締め付けることにより管を接続する管継手に関する。
【０００２】
【従来の技術】
従来、ハウジング形管継手やフランジ形管継手など、管継手部材をボルトとナットとにより螺合緊締して連結させて管を接続するタイプの管継手が多用されている。この種の管継手においては、ボルトの一部に断面非円形部を設け、且つ該ボルトの非円形部が挿通される管継手部材のボルト挿通孔の部位にボルトの非円形部に対応する非円形部を設け、これにボルトの非円形部を挿通させて、ボルトにナットを螺合して締付ける際のボルトの共回りを防止しボルトとナットとの締結を容易にする手段としている。
【０００３】
この種の管継手の例として、ハウジング形管継手を図９乃至図１３に示す。管継手１は、分割面部分から径方向外方に延在し、互いに間隔をもって対向する対のフランジ部３、３を有する半割型の管継手部材としての対のハウジング２、２と、ハウジング２、２の内周側に配設されるパッキン４と、対向するフランジ３、３に設けられたボルト挿通孔５、５を貫通し、両フランジ３、３を締結させるボルト６およびナット７とから基本的に構成されている。
【０００４】
ここでボルト６は、図１１に示すように、先端部分にネジ部８を有し頭部９に近接する部分に大径部分１０を有し、該大径部分１０は相対向する側面を平坦面１１とした断面非円形部１２としてある。一方、ハウジング２、２のフランジ部３、３に形成されたボルト挿通穴５、５は、図１２に示すように、ボルト６の非円形部１２が挿通可能で且つ収容された非円形部１２の回転を許容しない寸法形状の非円形孔（図では長孔５）として形成されている。
【０００５】
管継手１による管の連結は、接続しようとする管１３、１３の端面を対向させ、両管端の間をまたいでパッキン４を被せ、該パッキン４の外周側から、管端部の近傍に設けられた環状溝１４にハウジング２、２の側縁を係合させた状態でハウジング２、２を被せ、フランジ部３、３のボルト挿通孔にボルトを挿通しナット７で締め付けることによりなされ、この際、ボルト６の非円形部１２をフランジ部のボルト挿入孔の非円形部５５に位置させることで、ナット７のボルト６への締着の際のボルトの回り止めがなされる。
【０００６】
前述した構成の管継手においては、ボルト６の非円形部１２がフランジ部３、３のボルト挿通孔の非円形部５５に挿入されない状態で、即ち、ボルト６の非円形部１２とフランジ部３、３の非円形部５５とがズレ角度をもって組付けられることによりボルト６の非円形部の先端面がフランジ部３、３の非円形部５５の開口端面に当接した状態で、ナット７での締め付けがされる場合があり得る。図１３は、このようにして締着された連結不良の状態を示し、図中、向かって右側の一方のボルト６はその非円形部１２がフランジ部３のボルト挿通孔の非円形部５５に挿入されず、ボルトの非円形部１２の先端面がボルト挿通孔の開口端縁に当接した状態でナット７により締め付けられた連結不良の状態を示す。
【０００７】
このような連結不良は、配管作業者の注意により防止し得るものであるが、見逃される場合もあり、見逃された場合において実際の使用に際して生じる振動や配管の伸縮等の原因で管継手にズレが生じて一方のボルト６がボルト挿通孔に対して相対的にズレ動き、ボルトの非円形部１２がボルト挿通孔の非円形部５５に合致する状態になると、一方のボルト６およびナット７による締結が緩んだ状態となり、連結管の抜け出しやパッキンのシ−ル不良等を生じさせ、管継手の機能が損なわれる。
【０００８】
前述の難点を解消するための手段として、特開平８−２８７６４号公報には、ボルトの非円形部より先の部分の長さを短くし、あるいは非円形部の長さを長くして、ボルトの非円形部がフランジ部のボルト挿通孔の非円形部に正しく挿入されていないときにはボルト先端部のネジ部が前方のフランジから突出せず、ナットの締め付けを不可能にする管継手が開示されているが、継手とボルトの不適切な組合せのときには、ボルトのネジ部がわずかにナットによる締め付けを可能にする程度にフランジより突出し、不完全なナット締め付け状態を作ることがあり、また、ボルトを過度に短くすることは、配管作業性の面でも不便を伴うことがある。
【０００９】
【発明が解決しようとする課題】
それ故、本発明は、ボルトおよびナットにより管継手部材を締結させる構成の管継手において、ボルトの非円形部が管継手部材のボルト挿通孔の非円形部に容易に且つ確実に挿入され、前述の連結不良の発生を防止し得る管継手を提供することを目的とする。
【００１０】
【課題を解決するための手段】
本発明は、該目的を達成するために、請求項１の発明では、ボルト頭部に近接した位置に径外方に突出する部分を備えた非円形部を有するボルトと、該ボルトの非円形部を収容し該ボルトの回り止めをする非円形部を有するボルト挿通孔を備えた半割型の管継手部材と、該ボルトに螺合されるナットを有する管継手において、該ボルト挿通孔の非円形部の開口端周囲を螺旋状の傾斜面にしたことを特徴とする管継手を提供する。
更に、本発明の請求項２においては、前記請求項１の管継手において、前記管継手部材のボルト挿通孔の非円形部の開口端周囲の螺旋状の傾斜面の傾斜角を、ボルト挿通孔の中心軸に垂直な面に対して、２０°〜６０°の範囲内の傾斜角とした管継手を提供する
更に、請求項３では、前記請求項１または２に記載の管継手において、前記管継手部材の非円形部の開口端周囲の螺旋状の傾斜面が、該ボルトのネジの傾斜方向とは逆方向に傾斜している管継手を提供する。
更に、請求項４では、前記請求項１、２又は３に記載のいずれかの管継手において、管継手部材のボルト挿通孔の開口端縁に段部をもって径を拡大した切欠き部分が設けられている管継手を提供する。
更に、請求項５では、前記請求項１〜４のいずれかに記載の管継手において、ボルトの非円形部の先端面に、ボルト挿通孔の非円形部の開口端周囲の螺旋状の傾斜面と略平行な螺旋状の傾斜面を形成した管継手を提供する。
【００１１】
本発明の管継手は、管継手部材のボルト挿通孔の非円形部の開口端周囲が螺旋状の傾斜面としてあるので、管継手の装着時にボルトの非円形部の先端部がこの螺旋状の傾斜面に当接し、該傾斜面に沿って滑ってズレ動き、ボルトが回転することによりボルトの非円形部とボルト挿通孔の非円形部とが合致して、ボルト挿通孔の非円形部へのボルトの非円形部の挿通が容易に確実になされ、ナットによる締め付けで正常な状態で装着される。したがって、従来のこの種の管継手における前記従来技術にみられる連結不良の発生が防止される。
【００１２】
ここで、前記螺旋状の傾斜面の傾斜角が過度に小さいとボルトを回転させる効果が得られず、また、過度に大きくするとフランジ部の厚さとの関係で傾斜面の周方向長さが過度に短くなり、目的とする効果が得られない。本発明で好ましい角度範囲は、ボルト挿通孔の軸心に垂直な面から測定して２０°〜６０°の範囲である。
【００１３】
更に本発明では、管継手部材のボルト挿通孔の非円形部の開口端周囲の螺旋状の傾斜面を、ボルトのネジとは逆向きに傾斜させているので、ボルトをナットで締め付ける場合に生じる偶力により、ボルトの非円形部の先端部が螺旋状の傾斜面に沿って滑り易くされ、従ってボルトの非円形部とボルト挿通孔の非円形部との合致がより容易になされるので、前記の連結不良の発生がより効果的に防止される。
【００１４】
管継手部材のボルト挿通孔にボルトが垂直に挿入されない場合等において、ボルトが容易に回転し得ない状態で装着されることがあり得るが、前記いずれかの管継手において、管継手部材のボルト挿通孔の開口端縁に段部をもって径を拡大した切欠き部を設けることで、ボルトの非円形部の先端部と螺旋状の傾斜面との対接が良好に得られ、前記の連結不良の発生がより効果的に防止される。
【００１５】
また、本発明で、ボルトの非円形部の先端面に、ボルト挿通孔の非円形部の開口端周囲の螺旋状の傾斜面と略平行な傾斜面を設けることにより、ボルトの非円形部の先端部が螺旋状の傾斜面に沿ってより滑り易くされるので、前記の連結不良の発生が更に効果的に防止される。
【００１６】
【発明の実施の形態】
図１は、本発明の１実施例として、ハウジング形管継手のハウジング（片方のみを示す）を示す。なお、半割型の管継手の管継手部材としてのこのハウジング２２は、２個一対として組み合わされ図１０におけると同様にパッキン４を介して接続管端部に配設されボルトにより締結され両管端を連結する。
【００１７】
ハウジング２２は、そのフランジ部３にボルト挿通孔５を有す。このボルト挿通孔５は、図２および図３の（ａ）、（ｂ）に示すように、ボルト６の非円形部１２（図４参照）の最大回転半径よりもやや大きい半径の円形部と、この円形部に対して段を介して形成される非円形部（本例では長孔）５５を有し、その長孔５５の開口端周囲の段を螺旋状の傾斜面５０とさせる。
【００１８】
図４に、前記ボルト挿通孔５に挿入されるボルト６を示す。ボルト６はその先端部分にネジ部８を有し頭部９の近傍部分に径方向に拡大部を有する非円形部１２を有す。ここで該非円形部１２は、ボルト軸部の径よりも大きい径を有する円柱部の相対する側面を平坦にした略楕円形の断面形状をなし、前記ハウジングのボルト挿通孔５の非円形部（本例では長孔）５５に挿通可能で且つ挿通状態でボルトの平坦な側面をボルト挿通孔５の短い方の径の面に合わせボルトの回転が防止される大きさ及び形状とされる。
【００１９】
また、ボルト挿通孔５の非円形部（本例では長孔）５５の開口端周囲の螺旋状傾斜面５０は、ボルトの非円形部１２の最大回転半径よりもやや大きい半径の円形領域に亘って向かい合う形に設けられている。
【００２０】
前述のハウジング２２を接続管の管端部間をまたぐようにパッキンを介して両管端部間に取付け、ボルト挿通孔５にボルト６を挿入すると、ボルト６の非円形部１２の先端面は該ボルト挿通孔５の非円形部５５の開口端周囲の前記螺旋状傾斜面５０に当接し、該傾斜面に沿ってズレ動き、ボルト６の非円形部１２の平坦面がボルト挿通孔の非円形部５５の短い方の径の面に合致して、ナット７による締め付けにより正常な状態で管の連結がなされる。
【００２１】
ここで、前記螺旋状傾斜面５０を、好ましくはボルト６のネジの傾斜とは逆向きに傾斜させる。このことは、ナット７での締め付けの際にボルト非円形部１２を該傾斜面５０に沿ってズレ動き易くし、ボルト６の非円形部１２をボルト挿通孔の非円形部５５に容易に挿入させる上で有効である。
【００２２】
また、好ましくは図６及び図７の（ａ）、（ｂ）に示すように、ボルト挿通孔５の非円形部５５の開口端面の前記螺旋状傾斜面５０を形成する側壁の開放端部分に切欠き部５２を設ける。この切欠き部５２は、ボルト６がボルト挿通孔５に垂直に挿入されない場合などにおいて、ボルト６の非円形部がボルト挿通孔５の開放端部と干渉するのを防止し、ボルト６をボルト挿通孔５に垂直に位置させボルト６の正常な装着を容易にする上で有効である。
【００２３】
また、図８に示すように、好ましくはボルト６の非円形部１２の先端面をボルト挿通孔５の非円形部５５の開口端周囲の前記螺旋状傾斜面５０と略平行な傾斜面５６とする。このようにボルトの非円形部の先端面に螺旋状の傾斜面５６を設けることにより、ボルトの装着時に前記両傾斜面同士が対接し、その間でズレ動き易くなり、ボルト挿通孔の非円形部５５へのボルトの非円形部１２の装着がより容易になされる。
【００２４】
【発明の効果】
以上の通りで、本発明の、管継手部材をボルトとナットにより締着させて管を接続する管継手においては、装着時に、ボルトに設けられた非円形部が、継手部材に設けられたボルト挿通孔の非円形部の開口端周囲に設けられた螺旋状の傾斜面の存在により容易に案内されて、該ボルト挿通孔の非円形部に装着されるので、連結不良の発生が効果的に防止される。
【図面の簡単な説明】
【図１】    本発明の実施例の管継手のハウジング（管継手部材）を示す斜視図である。
【図２】    図１のハウジングのボルト挿通孔の部分を示す平面図である。
【図３】    （ａ）は図２のＡ−Ａ断面を示す断面図であり、（ｂ）は図２のＢ−Ｂ断面を示す断面図である。
【図４】    本発明の管継手に使用されるボルトを示す斜視図である。
【図５】    本発明の別の実施例の管継手のハウジングを示す斜視図である。
【図６】    図５のハウジングのボルト挿通孔の部分を示す平面図である。
【図７】    （ａ）は図６のＣ−Ｃ断面を示す断面図であり、（ｂ）は図６のＤ−Ｄ断面を示す断面図である。
【図８】    本発明の実施例の管継手に使用されるボルトを示す斜視図である。
【図９】    従来のハウジング形管継手の装着状態を示す一部断面図である。
【図１０】    図９のＸ−Ｘ断面を示す断面図である。
【図１１】    従来のハウジング形管継手に使用されるボルトを示す斜視図である。
【図１２】    従来のハウジング形管継手のハウジングの斜視図である。
【図１３】    従来のハウジング形管継手の連結不良の状態を示す断面図である。
【図１】
0003798868.tif 000002
【図２】
0003798868.tif 000003
【図３】
0003798868.tif 000004
【図４】
0003798868.tif 000005
【図５】
0003798868.tif 000006
【図６】
0003798868.tif 000007
【図７】
0003798868.tif 000008
【図８】
0003798868.tif 000009
【図９】
0003798868.tif 000010
【図１０】
0003798868.tif 000011
【図１１】
0003798868.tif 000012
【図１２】
0003798868.tif 000013
【図１３】
0003798868.tif 000014